(57)【特許請求の範囲】
【請求項１】
片面に凸形状の単位光学形状が複数配列された光学シートの製造方法であって、
前記単位光学形状を成形する凹状の型が複数配列された型形状部を有する成形型に、前記単位光学形状を形成する樹脂を充填した状態で基材層を圧着する圧着工程と、
前記樹脂を硬化させて前記単位光学形状の形状を成形する硬化工程と、
前記硬化工程の後に、前記成形型から前記樹脂及び前記基材層を剥離する離型工程と、
を備え、
前記凹状の型の配列ピッチＰ１は、前記単位光学形状の配列ピッチの設計値Ｐに対して、硬化後の前記単位光学形状の配列ピッチの変化量に対応する補正量ΔＰを与えた大きさであり、Ｐ１＝（１＋ΔＰ）×Ｐを満たし、前記補正量ΔＰは、−１５０×１０−６〜−４００×１０−６であること、
を特徴とする光学シートの製造方法。
【請求項２】
請求項１に記載の光学シートの製造方法において、
前記単位光学形状は、略円柱形状の一部形状又は略楕円柱形状の一部形状であること、
を特徴とする光学シートの製造方法。
【請求項３】
請求項１又は請求項２に記載の光学シートの製造方法において、
前記基材層及び前記単位光学形状の層の総厚みは、１４０μｍ〜２４０μｍの範囲内であること、
を特徴とする光学シートの製造方法。
【請求項４】
請求項１から請求項３までのいずれか１項に記載の光学シートの製造方法において、
前記成形型は、略円筒形状であり、その外周面に型形状部が形成されていること、
を特徴とする光学シートの製造方法。
【請求項５】
請求項１から請求項３までのいずれか１項に記載の光学シートの製造方法において、
前記成形型は、平板状であること、
を特徴とする光学シートの製造方法。
【発明の詳細な説明】
【技術分野】
【０００１】
本発明は、光学シートの製造方法に関するものである。
【背景技術】
【０００２】
近年、３次元映像を観察可能な表示装置への需要が高まっており、３次元映像を表示可能な様々な表示装置が開発されている。
例えば、表示画素がマトリクス状に配列された表示パネルの前面（観察者側）に、レンチキュラーレンズシートを配置し、観察者が立体視用の眼鏡等を用いることなく３次元映像を観察可能とする表示装置が知られている。
この表示装置では、明瞭な３次元映像を表示するために、単位レンズと表示画素の配列ピッチとの位置合わせを精度よく行う必要がある。そのため、特許文献１では、レンチキュラーレンズシートに位置合わせ用のマーカーを設け、表示パネル側の基板等に設けられたマーカーと位置合わせを行っている。
【先行技術文献】
【特許文献】
【０００３】
【特許文献１】特開２００４−２８００８７号公報
【発明の概要】
【発明が解決しようとする課題】
【０００４】
しかし、レンチキュラーレンズシートと表示パネルとの位置合わせを精度よく行ったとしても、表示パネルが大画面である場合や、レンチキュラーレンズシートに配列される単位レンズのピッチ数が多い場合には、単位レンズのピッチ（レンズ幅）が、所望する値で精度よく形成されていないと、画素と単位レンズとの位置がずれ、明瞭な３次元映像を表示できないという問題がある。そのため、単位レンズのピッチの精度の高いレンチキュラーレンズシートが必要とされている。
【０００５】
レンチキュラーレンズシートは、レンズ部分やその基材となる部分等は樹脂で形成されているものが多く、レンズ部分の成形後に、単位レンズのピッチ等が変化する場合がある。このような単位レンズのピッチ等の変化は、製造時に基材にかかるテンションが開放されることや、レンズ部分の成形時とは異なる温度や湿度の環境で保管及び使用されること等、様々な要因が考えられ、これらが複合的な原因となって生じていると考えられる。
そして、上述のような単位レンズのピッチの変化が生じたレンチキュラーレンズシートを３次元映像表示装置に用いた場合、画素と単位レンズの位置が合わず、明瞭な３次元映像を表示できないという問題がある。
【０００６】
特許文献１の画像表示装置では、単位レンズのピッチの精度の管理や、その単位レンズのピッチの変化等に関しては、一切開示されていない。
【０００７】
本発明の課題は、所望する配列ピッチとのズレを極力抑え、ピッチの精度の高い単位レンズを容易に形成可能な光学シートの製造方法を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、片面に凸形状の単位光学形状（１２２）が複数配列された光学シート（１２）の製造方法であって、前記単位光学形状を成形する凹状の型（５３１ａ）が複数配列された型形状部（５３１）を有する成形型（５３）に、前記単位光学形状を形成する樹脂（Ｒ）を充填した状態で基材層（１２３）を圧着する圧着工程と、前記樹脂を硬化させて前記単位光学形状の形状を成形する硬化工程と、前記硬化工程の後に、前記成形型から前記樹脂及び前記基材層を剥離する離型工程と、を備え、前記凹状の型の配列ピッチＰ１は、前記単位光学形状の配列ピッチの設計値Ｐに対して、硬化後の前記単位光学形状の配列ピッチの変化量に対応する補正量ΔＰを与えた大きさであり、Ｐ１＝（１＋ΔＰ）×Ｐを満たし、前記補正量ΔＰは、−１５０×１０−６〜−４００×１０−６であること、を特徴とする光学シートの製造方法である。
請求項２の発明は、請求項１に記載の光学シートの製造方法において、前記単位光学形状（１２２）は、略円柱形状の一部形状又は略楕円柱形状の一部形状であること、を特徴とする光学シートの製造方法である。
請求項３の発明は、請求項１又は請求項２に記載の光学シートの製造方法において、前記基材層及び前記単位光学形状の層の総厚みは、１４０μｍ〜２４０μｍの範囲内であること、を特徴とする光学シートの製造方法である。
【０００９】
請求項４の発明は、請求項１から請求項３までのいずれか１項に記載の光学シートの製造方法において、成形型（５３）は、略円筒形状であり、その外周面に型形状部（５３１）が形成されていること、を特徴とする光学シートの製造方法である。
請求項５の発明は、請求項１から請求項３までのいずれか１項に記載の光学シートの製造方法において、成形型は、平板状であること、を特徴とする光学シートの製造方法である。
【発明の効果】
【００１０】
本発明によれば、以下の効果を奏することができる。
（１）本発明の光学シートの製造方法は、単位光学形状を成形する凹状の型が複数配列された型形状部を有する成形型に、単位光学形状を形成する樹脂を充填した状態で基材層を圧着する圧着工程と、樹脂を硬化させて単位光学形状の形状を賦形する硬化工程と、硬化工程の後に、成形型から樹脂及び基材層を剥離する離型工程とを備え、凹状の型の配列ピッチＰ１は、単位光学形状の配列ピッチの設計値Ｐに対して、硬化後の単位光学形状の配列ピッチ変化量に対応する補正量ΔＰを与えた大きさであり、Ｐ１＝（１＋ΔＰ）×Ｐを満たすものとした。これにより、樹脂により単位光学形状を成形した後に単位光学形状のピッチが変化した場合にも、設計ピッチＰとの差が極力小さいピッチを有する単位光学形状が配列された光学シートを作製することができ、精度の高い光学シートを容易に作製できる。
【００１１】
（２）離型工程の後に、単位光学形状の形状を安定させるために所定の環境下に放置する安定化工程を備えるので、単位光学形状の形状が安定し、設計ピッチとの差を極力小さく抑えることができる。
【００１２】
（３）補正量ΔＰは、−１５０×１０−６〜−４００×１０−６であるので、単位光学形状が成形後に配列方向におけるピッチが大きくなった場合にも、所望する設計ピッチとの差が極力小さい、高精度の光学シートを提供できる。
【００１３】
（４）単位光学形状は、略円柱形状の一部形状又は略楕円柱形状の一部形状であるので、ピッチの精度の高いレンチキュラーレンズシートを容易に作製できる。
【００１４】
（５）成形型は、略円筒形状であり、その外周面に型形状部が形成されているので、光学シートの大量生産が可能である。
【００１５】
（６）成形型は、平板状であるので、枚葉状態の光学シートを容易に作製可能である。
【図面の簡単な説明】
【００１６】
【図１】３次元映像を表示可能な表示装置の構成を説明する図である。
【図２】レンズシート部を説明する図である。
【図３】レンズシート部の製造方法を説明する図である。
【図４】第２ロールを説明する図である。
【図５】単位レンズのピッチの変化を示す図である。
【発明を実施するための形態】
【００１７】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００１８】
（実施形態）
図１は、３次元映像を表示可能な表示装置の構成を説明する図である。図１（ａ）は、表示装置の構成を示し、図１（ｂ）は、使用状態の表示装置１０の様子を示している。
表示装置１０は、表示部１１とレンズシート部１２とを備えている。表示装置１０は、その観察画面（映像表示面）が略矩形状であり、３次元映像の表示が可能である。また、不図示の制御部での切り替えにより、２次元映像も表示可能である。
なお、以下の明細書中において、特に断りが無い場合、画面上下方向及び画面左右方向とは、表示部１１の使用状態における観察画面の上下方向（鉛直方向）及び観察画面の左右方向（水平方向）であるとする。
【００１９】
表示部１１は、例えば、ＬＣＤ（Ｌｉｑｕｉｄ  Ｃｒｙｓｔａｌ  Ｄｉｓｐｌａｙ）パネルを背面側から照明して映像を表示する液晶透過型表示装置や、ＰＤＰ（Ｐｌａｓｍａ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅ）ディスプレイ等の表示装置を用いることができ、表示画素がマトリクス状に配列されて映像を表示する不図示の表示パネルを備えている。
【００２０】
本実施形態の表示部１１は、表示画素が配列されたＬＣＤパネルと、ＬＣＤパネルを背面から照明する面光源部（バックライト）とを備えている。本実施形態ＬＣＤパネルは、観察画面に沿って、画面上下方向及び画面左右方向に表示画素が配列されおり、この表示画素は、赤色、青色、緑色の３つの副画素（不図示）が１組となって形成されている。面光源部は、直下型としてもエッジライト型としてもよく、その光源も、冷陰極管やＬＥＤ（Ｌｉｇｈｔ  Ｅｍｉｔｔｉｎｇ  Ｄｉｏｄｅ）光源、有機ＥＬ（Ｅｌｅｃｔｒｏ  Ｌｕｍｉｎｅｓｃｅｎｃｅ）光源や無機ＥＬ光源等、適宜選択してよい。
【００２１】
表示部１１は、その観察画面に映像を表示可能であり、不図示の制御部の指示によって表示画素の表示する映像を切り替えることにより、３次元映像と２次元映像とを切り替え可能である。この表示部１１は、３次元映像表示時には、同一フレーム上に複数の視差を有する映像（視差映像）を表示する。
本実施形態では、一例として、３次元映像表示時には、右眼用映像及び左眼用映像の２つの視差映像を表示する表示部１１を挙げて説明するが、表示部１１が３次元映像表示時に表示する視差映像の数は４つや８つとしてもよい。
【００２２】
図２は、レンズシート部１２を説明する図である。図２（ａ）は、レンズシート部１２の単位レンズ１２２の配列方向に平行であってシート面に直交する断面の一部を拡大して示した図であり、図２（ｂ）は、３次元映像表示時のレンズシート部１２の機能を説明する図である。ここで、シート面とは、レンチキュラーレンズシート等において、そのシート全体として見たときにおける、シートの平面方向となる面を示すものであり、本明細書中においても同一の定義として用いている。例えば、レンズシート部１２のシート面は、レンズシート部１２全体として見たときにおける、レンズシート部１２の平面方向となる面である。また、図２（ｂ）では、理解を容易にするために、レンズシート部１２及び表示部１１の表示画素１１６のみを示している。
【００２３】
レンズシート部１２は、その出射側の面に単位レンズ１２２が複数配列された光学シートであり、表示部１１の観察者Ｏ側に配置されている。図１では、表示部１１とレンズシート部１２との間には所定の距離を離して配置されている様子を示しているが、表示部１１とレンズシート部１２とが距離をあけずに積層されている形態としてもよい。
レンズシート部１２は、レンズ層１２１と、レンズ基材層１２３と、接合層１２４と、ガラス基板層１２５とを備えている。
【００２４】
レンズ層１２１は、単位レンズ１２２が複数配列されて形成された層であり、このレンズシート部１２の出射側に設けられている。
単位レンズ１２２は、出射側に凸となる形状であり、このレンズシート部１２のシート面に沿って一方向に配列されている。単位レンズ１２２は、略円柱形状の一部形状であり、所謂、シリンドリカルレンズであり、図１（ｂ）に示すように、その長手方向を画面上下方向とし、シート面に沿って画面左右方向に複数配列されている。図２戻り、単位レンズ１２２は、単位レンズ１２２が隣接して配列されており、その配列ピッチは、配列方向における幅に等しい。この単位レンズ１２２の配列ピッチ（配列方向の幅）は、Ｐｒである。本実施形態のレンズ層１２１（単位レンズ１２２）は、紫外線硬化型樹脂製であるが、これに限らず、例えば、電子線硬化型樹脂等の他の電離放射線硬化型樹脂を用いてもよい。
レンズ基材層１２３は、レンズ層１２１を形成する基材（ベース）となる層であり、一方の面にレンズ層１２１が一体に形成されている。レンズ基材層１２３は、光透過性を有する熱可塑性樹脂等の樹脂製のシート状の部材を用いることができる。
【００２５】
接合層１２４は、レンズ基材層１２３の表示部１１側の面（レンズ層１２１とは反対側の面）に形成された層であり、ガラス基板層１２５とレンズ基材層１２３とを接合する機能を有している。
この接合層１２４は、例えば、感圧接着剤や紫外線硬化型の粘着剤や接着剤等が用いられる。
ガラス基板層１２５は、接合層１２４を介してレンズ基材層１２３の入射側（表示部１１側）に設けられる。このガラス基板層１２５は、単位レンズ１２２の焦点距離に略等しい位置に表示部１１の表示画素が位置するように設けられる。また、ガラス基板層１２５は、その剛性により、レンズシート部１２の平面性を維持する作用を有する。
【００２６】
図２（ｂ）に示すように、本実施形態の表示部１１の表示画素１１６は、画面左右方向において、３次元映像表示時に右眼用映像を表示する表示画素１１６Ｒと左眼用映像を表示する表示画素１１６Ｌとが交互に配列されている。この表示画素１１６は、図２（ｂ）に示すように、例えば、画素を形成する赤（Ｒ）、緑（Ｇ）、青（Ｂ）色を表示する副画素がそれぞれ該当している。
レンズシート部１２は、３次元映像表示時には、表示部１１が表示するこれらの視差映像の映像光を、それぞれ所望の方向へ向けて出射させる機能を有している。画面左右方向において、表示部１１の右眼用映像を表示する表示画素１１６Ｒと左眼用映像を表示する表示画素１１６Ｌとは１つの組１１７となっており、単位レンズ１２２は、その配列方向（画面左右方向）における位置が、この画素の組１１７と対応するように配列されている。なお、本実施形態では、表示部１１が表示する視差映像が２つであるため、画素の組１１７は表示画素１１６Ｒ及び表示画素１１６Ｌの２つの表示画素から構成される例を示したが、これに限らず、例えば、表示部１１が表示する視差映像が４つ、６つ等の場合には、画素の組１１７を構成する表示画素も４つ、６つとなる。
図２（ｂ）に示す形態の場合、紙面左側から２つめの表示画素１１６Ｒ（Ｇ）と４つ目の表示画素１１６Ｒ（Ｂ）と６つ目の表示画素１１６Ｒ（Ｒ）で１つの画素（ピクセル）となり、映像を表示する。
【００２７】
３次元映像表示時には、面光源部からの光が各表示画素１１６を透過し、各表示画素１１６からの映像光が表示部１１から出射してレンズシート部１２へ入射する。各表示画素１１６からの映像光は、各表示画素１１６の画素の組１１７が対応する単位レンズ１２２の界面で屈折して出射することにより、左眼用映像の映像光は観察者Ｏの左眼側へ、右眼用映像の映像光は観察者Ｏの右眼側へ出射する。そして、観察者Ｏは、右眼用映像の映像光を右眼で観察し、それと同時に左眼用映像の映像光を左眼で観察することにより、立体視用の眼鏡等を用いることなく、３次元映像を裸眼で観察することができる。
【００２８】
（レンズシート部１２の製造方法について）
図３は、レンズシート部１２の製造方法を説明する図である。図３（ａ）は、レンズ層１２１の形成方法を示し、図３（ｂ）は、単位レンズ１２２の形状を賦形する成形型である第２ロール５３を示している。
図３（ａ）中に示す製造装置５０は、レンズ層１２１をレンズ基材層１２３の片面に形成する装置であり、ノズル５１、第１ロール５２、第２ロール５３、第３ロール５４、紫外線照射部５５、不図示の裁断部等を有している。
ノズル５１は、不図示の樹脂タンクからレンズ層１２１を形成する未硬化の紫外線硬化型樹脂Ｒを供給する。本実施形態のノズル５１は、紫外線硬化型樹脂Ｒを第２ロール５３の外周面上に吐出するが、これに限らず、レンズ基材層１２３上に吐出してもよい。
第１ロール５２、第２ロール５３、第３ロール５４は、略円柱形状であり、その中心軸を回転軸として回転駆動可能となっている。また、不図示の温度調整部によって、第２ロール等の温度が調整され、また、不図示の圧力調整部によって、第１ロール５２の第２ロール５３との間の寸法等が調整されている。
第１ロール５２は、レンズ基材層１２３を第２ロール５３に押し当てる押圧ロールである。
【００２９】
図３（ｂ）は、製造装置５０の第２ロール５３をその中心軸５３ａ方向に直交する方向から見た図である。
第２ロール５３は、図３（ｂ）に示すように、その外周面に、型形状部５３１と鏡面部５３２とを有する成形ロール（ロール状成形型）である。
型形状部５３１は、レンズ層１２１の単位レンズ１２２の形状を賦形するための型となる部分であり、単位レンズ１２２の形状を賦形する凹状の型５３１ａが複数配列されて形成されている。この凹状の型５３１ａの配列ピッチ（配列方向の幅）は、Ｐ１であり、この値Ｐ１は、レンズシート部１２の単位レンズ１２２として設計された設計上の単位レンズ１２２の配列ピッチの値（設計ピッチ）Ｐとは異なる値であり、本実施形態では、Ｐ１＜Ｐとなっている。また、この値Ｐ１は、この型を用いて作製されたレンズシート部１２の単位レンズ１２２の配列ピッチ（配列方向の幅）Ｐｒとも異なる値であり、本実施形態では、Ｐ１＜Ｐｒとなっている。型５３１ａの配列ピッチの詳細については、後述する。
【００３０】
本実施形態の第２ロール５３は、図３（ｂ）に示すように、単位レンズ１２２を賦形する凹状の型５３１ａが第２ロール５３の中心軸５３ａ方向に配列されて形成されている。しかし、これに限らず、単位レンズ１２２を賦形する凹状の型５３１ａの配列方向が、第２ロール５３の周方向あるいは斜め方向（周方向に対して角度をなす方向）となるように形成されている形態としてもよい。
鏡面部５３２は、第２ロール５３の中心軸５３ａ方向において型形状部５３１を挟んで第２ロール５３の両端部に形成されており、その表面は略平滑面となっている。
【００３１】
第３ロール５４は、図３（ａ）に示すように、第２ロール５３に隣接して設けられ、第２ロール５３からレンズ基材層１２３を剥離する剥離ロールである。
紫外線照射部５５は、紫外線硬化型樹脂を硬化させる紫外線を照射する装置である。なお、本実施形態のレンズ層１２１は、紫外線硬化型樹脂製であるので、紫外線照射部を用いているが、レンズ層１２１を形成する樹脂にあわせて、各種電離放射線、例えば、電子線や可視光線、Ｘ線、γ線、荷粒子線を照射するものを用いてもよい。
【００３２】
予め形成され、ロール状に巻き取られていたレンズ基材層１２３は、ロール１２３Ｒから巻き出され、搬送ローラ５６等を経て第２ロール５３に供給される。
第２ロール５３には、その外周面の型形状部５３１及び鏡面部５３２に、レンズ層１２１を形成する紫外線硬化型樹脂Ｒがノズル５１から供給されて充填される。レンズ基材層１２３は、第１ロール５２によって未硬化の紫外線硬化型樹脂Ｒが充填された第２ロール５３に圧着され、第２ロール５３に巻き取られる（圧着工程）。そして、第２ロール５３の型形状部５３１に紫外線硬化型樹脂Ｒを介してレンズ基材層１２３が圧着された状態で、紫外線照射部５５は、レンズ基材層１２３側から紫外線を照射する。照射された紫外線により、紫外線硬化型樹脂Ｒが硬化し、単位レンズ１２２の形状が賦形され、かつ、レンズ基材層１２３の片面にレンズ層１２１が接着される（硬化工程）。
【００３３】
紫外線硬化型樹脂Ｒが硬化した後に、レンズ基材層１２３を第２ロール５３から剥離する。第３ロール５４は第２ロール５３に密着したレンズ基材層１２３に接触するように設けられており、その回転によって、硬化した紫外線硬化型樹脂Ｒ（レンズ層１２１）とともにレンズ基材層１２３は、第２ロール５３から剥離する（離型工程）。
レンズ層１２１が一体に形成されたレンズ基材層１２３は、第３ロール５４で第２ロールから剥離された後、不図示の引き取りロールや調整ロール等へ移動した後、不図示の裁断部によって、流れ方向における寸法が所定の寸法となるように所定の寸法にされてシート状の部材とされる。
【００３４】
そして、このレンズ基材層１２３にレンズ層１２１一体に形成されたシート状の部材を、所定の環境下に配置して単位レンズ１２２の形状を安定化させた後（安定化工程）、接合層１２４によりガラス基板層１２５と接合することより、レンズシート部１２が作製される。
なお、レンズ層１２１が片面に形成されたレンズ基材層１２３を所定の環境下に配置して単位レンズ１２２の形状を安定化させ、一旦巻き取って所定の環境下に保管する等した後、裁断部よって所定の寸法に裁断してもよい。なお、レンズ層１２１の成形から、レンズ形状の安定化、ガラス基板層１２５との接合までの工程は、なるべく同一の環境下で行われることが、形状精度の高い単位レンズ１２２を成形する観点から好ましい。
【００３５】
（第２ロール５３について）
ここで、上述のレンズ層１２１の成形に用いる第２ロール５３について説明する。
図４は、第２ロールを説明する図である。図４（ａ）は、第２ロール５３に、単位レンズ１２２を賦形する凹状の型５３１ａを形成する様子を示し、図４（ｂ）は、第２ロール５３の軸５３ａ方向における型形状部５３１の断面の一部を拡大して示している。
【００３６】
まず、金属製のロール状の母材の表面に硬質銅メッキ等を施した後、中心軸５３ａを回転軸として回転させながら、その外周面に凹状の型５３１ａを作製するためのバイトｂを当て、所定の深さまで切削して型５３１ａを形成する。そして、バイトｂを第２ロール５３から離して中心軸５３ａ方向に所定の寸法だけ移動させ、再度所定の深さまで切削する。これらの工程を繰り返す等により、図４（ａ）に示すように、第２ロール５３の外周面に、凹状の型５３１ａが複数配列された型形状部５３１を形成する。
【００３７】
本実施形態の単位レンズ１２２の凹状の型５３１ａは、その配列ピッチ（配列方向における凹形状の底となる点の間隔）がＰ１となるように形成されている。
一般的に、上述のような切削加工で型形状部５３１を作製する場合、単位レンズ１２２のレンズ高さの寸法よりも多少大きめ（深め）に切削するため、図４（ｂ）に示すように、単位レンズ１２２間の谷部を形成する凸部５３１ｃの頂部は、第２ロール５３の外周面（鏡面部５３２表面）よりも低くなり、この状態で、凹状の型５３１ａの配列ピッチがＰ１となるように形成する。そのため、型形状部５３１の両端部に位置する型５３１ｂは、型形状部５３１を切削加工で形成する場合、他の凹状の型５３１ａのレンズ幅Ｗ１（配列ピッチＰ１に等しい）よりもそのレンズ幅Ｗ２が大きくなる（Ｗ２＞Ｗ１）傾向がある。
なお、上記の例に限らず、型形状部５３１の両端部に位置する型５３１ｂもレンズ幅がＷ１となるように鏡面部５３２の型形状部５３１近傍を所定の深さだけ切削して作製した型等を作製して用いてもよい。
【００３８】
図５は、単位レンズ１２２のピッチの変化を示す図である。
単位レンズ１２２は、第２ロール５３等の成形型によって成形された直後は、図５（ａ），（ｂ）に示すように、型形状部５３１の配列ピッチＰｄに等しいピッチＰｄを維持している。しかし、レンズ層１２１（単位レンズ１２２）の硬化後に、レンズ層１２１が形成されたレンズ基材層１２３を所定の寸法に裁断したり、巻き取ったりして、成形時とは異なる環境下に保管していると、硬化した単位レンズ１２２のピッチが変化し、図５（ｃ）に示すように、そのピッチが型形状のピッチＰｄよりも大きいピッチＰｆになったり、小さくなったりする場合がある。
これは、レンズ層１２１を形成する際にレンズ基材層１２３にかかるテンションが開放されることや、レンズ層１２１成形時には室温より高い温度（例えば、４０℃程度）環境下で成形されるが、使用環境や保管環境は成形時の環境とは異なること（例えば、室温２０〜２５℃程度）等が原因として推察される。また、レンズ層１２１は、樹脂製であり、硬化により収縮や、反対に吸湿により膨張する現象も生じている。このような様々な原因が複合的に結びついて、上述のような単位レンズ１２２のピッチの変化が生じていると考えられる。しかも、このような単位レンズのピッチの変化は、図３（ａ）に示した成形方法に限らず、枚葉状のレンズ基材層に平板の成形型を用いた場合にも生じることが観察されている。
【００３９】
配列ピッチが所望の値から大きく離れた値となった単位レンズを有するレンズシート部を表示装置１０に用いた場合、配列方向（画面左右方向）における単位レンズと表示画素との位置ずれが生じ、明瞭な３次元映像の表示が困難になる。
そこで、本実施形態では、第２ロール５３に形成される凹状の型５３１ａのピッチＰ１は、３次元映像を表示可能なレンズシート部１２の単位レンズ１２２として設計された配列ピッチ（設計ピッチ）Ｐに対して、補正量ΔＰを与えたものとした。即ち、単位レンズ１２２を賦形する凹状の型５３１ａの配列ピッチＰ１は、単位レンズ１２２の設計ピッチＰに対して、Ｐ１＝（１＋ΔＰ）×Ｐを満たしている。
この補正量ΔＰは、−１５０×１０−６〜−４００×１０−６（−１５０ｐｐｍ〜−４００ｐｐｍ）の範囲内とすることが好ましい。
【００４０】
例えば、補正量ΔＰ＝＋１００×１０−６＝＋０．０００１（即ち、＋１００ｐｐｍ）である場合、１ｍ（＝１００００００μｍ）あたり、＋１００μｍの寸法補正を加えることを意味する。
前述のように、この補正量ΔＰは、−１５０×１０−６〜−４００×１０−６（即ち、−１５０ｐｐｍ〜−４００ｐｐｍ）の範囲内であることが好ましい。これは、１ｍあたりでは、−１５０μｍ〜−４００μｍの範囲内の補正量を加える寸法補正を行うことを意味する。この補正量ΔＰは、成形条件等において、適宜異なる値を選択してもよい。
【００４１】
この補正量ΔＰは、例えば、以下のような方法で算出可能である。
まず、第２ロール５３の作製の準備工程として、試作のロール型に所望する配列ピッチ（設計値の配列ピッチ）で凹状の型が配列された型形状部を作製し、型の配列方向における型の所定の個数分となる２点間の寸法を計測する。なお、この型での２点間の寸法は、上記のように測定せず、設計値の配列ピッチに型の個数をかけて算出すると容易である。
次に、試作のロール型を用いて、実際にレンズ基材層上にレンズ層を形成し、単位レンズの形状が安定するまで所定の環境下に保管する。その後、レンズ層において、単位レンズの配列方向における上記２点間の寸法を計測する。
そして、試作のロール型における２点間の寸法と、形成されたレンズ層における２点間の寸法との差から単位長当たりの変化量を求め、補正量ΔＰを算出可能である。このとき、補正量ΔＰの精度を高める観点から、測定に用いる２点間には、型形状部の型及び単位レンズの配列方向における両端部の型（図４（ｂ）の型５３１ｂに相当）及びその型によって成形された単位レンズが含まれないことが好ましい。これは、前述のように、型形状部の型の配列方向における両端部の型は、他の型よりもピッチが大きくなる傾向を有するからである。
【００４２】
また、補正量ΔＰの算出において、上記２点間の寸法の際には、単位レンズ間の谷部に、凸状かつ略点状に形成した不図示のマーク部を用いてもよい。このマーク部は、単位レンズを成形する凹状の型の配列方向における型形状部の両端部を、ロール型の中心軸方向に直線状に切削する（けがく）ことにより、型形状部にマーク部を賦形する型を形成することができ、単位レンズ１２２形成時に同時に形成できる。また、上記のような方法でマーク部の型を作製することにより、型形状部の型の配列方向の両端部に位置する凹状の型よりも配列方向において内側に位置するため、測定時に、型形状部の両端部に位置する型（図４（ｂ）の型５３１ｂ）によって形成された単位レンズを含むことがなく、容易に高精度の測長が行える。
【００４３】
ここで、上述のように、凹状の型５３１ａの配列ピッチがＰ１（Ｐ１＝（１＋ΔＰ）×Ｐ）である第２ロール５３を用いて実際にレンズ層１２１をレンズ基材層１２３に形成し、単位レンズ１２２の配列方向における単位レンズ１２２の所定の本数を含む２点間の寸法を調べた。
なお、単位レンズ１２２の配列方向における２点間の測定に用いた測定機は、（株）ブイ・テクノロジー社製測長機Ｖｅｎｕｓ  １１００−００１である。測定は、レンズ基材層１２３にレンズ層１２１を形成（単位レンズ１２２の成形時、温度２０±１℃、湿度５０±５％）した後、室温２３．５±０．５℃、湿度５０±３％の環境下に１６８時間、枚葉状態で形状を安定化した後、その環境下において測定した。
（実施例１）
レンズ基材シート：ＰＥＴ樹脂、厚さ１００μｍ
レンズ層：紫外線硬化型樹脂（ウレタンアクリレート）
設計上の単位レンズ１２２：設計ピッチＰ＝約１２０μｍ、（レンズ高さ約１０μｍ、ランド厚約３０μｍ）、配列方向における２点間（単位レンズ１２２が１１６００個）の設計寸法約１４００ｍｍ
金型：型５３１ａのピッチＰ１＝約１２０μｍ、補正量ΔＰ＝−２７５×１０−６（−２７５ｐｐｍ）
作製された単位レンズ１２２：ピッチＰｒ＝約１２０μｍ、（レンズ高さ約１０μｍ、ランド厚約３０μｍ）、配列方向における２点間（単位レンズ１２２が１１６００個）の寸法約１４００ｍｍ
２点間の寸法の設計寸法との差の許容範囲：約１４００±１５０μｍ
【００４４】
（実施例２）
レンズ基材層：ＰＥＴ樹脂、厚さ１８８μｍ
レンズ層：紫外線硬化型樹脂（ウレタンアクリレート）
設計上の単位レンズ１２２：配列ピッチＰ＝約９５０μｍ、配列方向における２点間（単位レンズ１２２が１４７０本）の設計寸法約１４００ｍｍ
金型：型５３１ａのピッチＰ１＝約９５０μｍ、補正量ΔＰ＝−２７５×１０−６（−２７５ｐｐｍ）
作製された単位レンズ１２２：ピッチＰｒ＝約９５０μｍ、（レンズ高さ約２０μｍ、ランド厚約３０μｍ）、配列方向における２点間（単位レンズ１２２が１４７０本）の寸法約１４００ｍｍ
２点間の寸法の設計寸法との差の許容範囲：約１４００±１００μｍ
【００４５】
実施例１，２に示すように、単位長あたりに加えるべき補正量である補正量ΔＰを、−１５０×１０−６〜−４００×１０−６（−１５０ｐｐｍ〜−４００ｐｐｍ）とすることにより、設計値の配列ピッチＰとの差が極力小さい単位レンズ１２２が作製された。
なお、上記以外にも、レンズ基材層の厚さや樹脂、レンズ層の樹脂等を変えて測定を行ったが、いずれも、補正量ΔＰを、−１５０×１０−６〜−４００×１０−６（−１５０ｐｐｍ〜−４００ｐｐｍ）程度とすることにより、単位レンズ１２２のピッチは設計値Ｐとの差が許容範囲内であり、かつ、その差が極力小さいものが得られた。
【００４６】
以上のことから、本実施形態によれば、補正量を加えたピッチとなるように切削された金型を用いて単位レンズを成形しているので、完成した状態の単位レンズは、設計値のピッチと同様又は略同等の値のピッチを有する。従って、より精度のよいレンズシート部１２を作製することができる。
本実施形態によれば、切削加工時に補正量を加えたピッチで作製するだけでよいので、レンズ層の形成が容易である。
本実施形態によれば、３次元映像を表示可能な表示装置１０の前面に設けるレンズシート部１２のように、表示画素１１６及び単位レンズ１２２の配列方向における位置合わせも精度よく行うことができる。従って、明瞭かつ高品位な３次元映像を提供することができる。
【００４７】
（変形形態）
以上説明した実施形態に限定されることなく、種々の変形や変更が可能であって、それらも本発明の範囲内である。
（１）本実施形態において、略円柱形状の一部形状である単位レンズ１２２が一方向に配列されたレンズシート部１２を用いる例を示したが、これに限らず、例えば、単位レンズ１２２は、略三角柱状のプリズムレンズとしてもよいし、長軸がシート面に直交する略楕円柱形状の一部形状としてもよい。また、単位レンズ１２２、マイクロレンズアレイ（ハエの目レンズ）としてもよい。さらに、単位レンズ１２２は、出射側に凹となる形状としてもよい。
また、本実施形態において、レンズシート部１２は、片面側にのみ単位レンズ１２２が形成される例を示したが、両面に単位レンズ１２２が配列された光学シートとしてもよい。
さらに、本実施形態において、単位レンズ１２２は、画面左右方向に配列され、単位レンズ１２２の長手方向が画面上下方向に平行に延在する例を示したが、これに限らず、例えば、単位レンズ１２２の長手方向が画面上下方向に対して角度α（ただし、０°＜α＜９０°）をなす方向に延在し、画面左右方向に対して角度αをなす方向に平行に配列する形態としてもよい。単位レンズ１２２をこのように配列することによって、画面左右方向における解像度の低下を低減することができる。
単位レンズの形状等に合わせて、その補正量は、適宜最適なものを選択することができ、これにより、上記のような形態の光学シートであっても、寸法精度の高い光学シートを作成することができる。
【００４８】
（２）本実施形態において、レンズ層１２１を賦形する成形型は、第２ロール５３であり、ロール状である例を示したが、これに限らず、例えば、平板状の成形型とし、枚葉状のレンズ基材層１２３の片面にレンズ層１２１を形成するものとしてもよい。
【００４９】
（３）本実施形態において、レンズ基材層１２３上にレンズ層１２１が紫外線硬化型樹脂を用いて紫外線成形法により形成される例を示したが、これに限らず、例えば、押し出し成形法や、キャスト法、熱プレス法等によってレンズ層を形成してもよい。
各製造方法によって、その補正量として適宜最適なものを選択することにより、上記のような形態の光学シートであっても、寸法精度の高い光学シートを作成することができる。
【００５０】
（４）本実施形態において、レンズシート部１２は、レンズ基材層１２３に接合層１２４を介してガラス基板層１２５が接合される例を示したが、これに限らず、レンズ基材層１２３の厚さを十分に厚くする等により、ガラス基板層１２５及び接合層１２４を備えない形態としてもよい。また、ガラス基板層１２５ではなく、アクリル板等の樹脂製の透明基板と接合する形態としてもよい。
【００５１】
（５）本実施形態において、表示部１１は、面光源部とＬＣＤパネルとを備える液晶透過型表示装置である例を示したが、これに限らず、ＰＤＰやＯＬＥＤディスプレイとしてもよい。ＰＤＰやＯＬＥＤディスプレイのように、表示パネルに配列された表示画素が自発光する表示部を用いた場合には、映像の明るさをより向上させることができる。
【００５２】
（６）本実施形態において、レンズシート部１２の表面に、ハードコート処理や、反射防止処理等を適宜施してもよい。反射防止処理は、ＷＥＴ方式やＤＲＹ方式等の処理によるものや、モスアイ型の微小形状を形成する方式等、適宜選択して用いることができる。反射防止処理をレンズシートの表面に施す事により、光の透過率を高め、より明るい映像の表示を行うことができる。また、ハードコート処理を行うことにより、単位レンズ１２２の表面が傷つくことを低減できる。
【００５３】
（７）レンズシート部１２と表示部１１との間に、単位レンズ１２２の配列方向に平行な方向に光透過部と光吸収部とを交互に配置した光制御シートを配置してもよい。この光制御シートは、汎用のルーバーシートを用いてもよいし、光吸収部の配列方向における断面形状が略楔形形状のものを用いてもよい。このような形態とする場合、光制御シートの光吸収部の配列ピッチが、単位レンズの配列ピッチと同等又は大きいことが好ましい。
また、このような光制御シートは、レンズシート部１２より観察者側に（即ち、表示装置１０において最も観察者Ｏ側）に配置してもよい。また、表示部１１が、ＬＣＤパネルと面光源部とを備える液晶透過型表示装置の場合には、面光源部とＬＣＤパネルとの間に配置してもよい。
【００５４】
（８）本実施形態において、ＬＣＤパネルの表示画素１１６は、３つ（Ｒ，Ｇ，Ｂ）の副画素（サブピクセル）が画面左右方向（ストライプ配列）に並んで１画素（ピクセル）１１６を形成する例を示したが、１画素中の３つの副画素の配列方向は画面上下方向でもよいし、３つの副画素がデルタ配列される形態等としてもよい。
また、本実施形態において、１つの画素を形成する副画素は、３つ（Ｒ，Ｇ，Ｂ）である例を示したが、これに限らず、例えば、４つ以上としてもよい。
【００５５】
（９）本発明において、レンズシート部１２は、３次元映像を表示可能な表示装置１０に用いられる例を示したが、これに限らず、例えば、透過型スクリーンや、面光源装置内の光学部材にも適用可能である。
【００５６】
なお、本実施形態及び変形形態は、適宜組み合わせて用いることもできるが、詳細な説明は省略する。また、本発明は以上説明した実施形態によって限定されることはない。
【符号の説明】
【００５７】
１０    表示装置
１１    表示部
１２    レンズシート部
１２１    レンズ層
１２２    単位レンズ
１２３    レンズ基材層
１２４    接合層
１２５    ガラス基板層
５０    製造装置
５１    ディスペンサー
５２    第１ロール
５３    第２ロール
５３１    型形状部
５３１ａ    型
５４    第３ロール
５５    紫外線照射部
【図１】
0005699373.tif 000002
【図２】
0005699373.tif 000003
【図３】
0005699373.tif 000004
【図４】
0005699373.tif 000005
【図５】
0005699373.tif 000006